(57)【特許請求の範囲】
【請求項１】
手すりの一端を嵌入・固定させ得る円筒部材を有し、この円筒部材と一体的な半球体を備えた第１の接続部材と、前記第１の接続部材の半球体に合わせ得る半球体を備えた第２の接続部材と、別の手すりの一端を嵌入・固定させ得る円筒部材を有し、この円筒部材と一体的な欠損円筒体を備えた第３の接続部材と、前記第３の接続部材の欠損部分に嵌め込まれて前記欠損円筒体とで円筒体を形成する保持部材とからなり、前記第２の接続部材の端部には、前記第３の接続部材の円筒部材の円周に沿う方向の溝を設け、前記第３の接続部材の欠損円筒体および前記保持部材に、前記溝に嵌入させ得る突条をそれぞれ設けたことを特徴とする手すり接続具。
【請求項２】
第３の接続部材の欠損円筒体と保持部材とを、結合部材で結合することを特徴とする請求項１記載の手すり接続具。
【請求項３】
第１の接続部材の半球体と第２の接続部材の半球体とを、結合部材で結合することを特徴とする請求項１記載の手すり接続具。
【発明の詳細な説明】
【技術分野】
【０００１】
本発明は、階段や廊下その他の場所の壁面に取り付ける手すり同士を接続し、連続する長い手すりとするための接続具に関し、手すりを上側や手前側を含むあらゆる方向に取り外すことができるようにしたものに関する。
【背景技術】
【０００２】
階段や廊下その他の場所の壁面Ａに手すり（手すり棒）Ｂを取り付けるに当っては、通常、手すり施工業者が手すりＢの設置場所に合わせて壁受けブラケットＣの取付位置のケガキ線を壁面Ａに描き、位置出し後、壁受けブラケットＣを壁面Ａの所定位置にいずれもネジ止めし、位置決めされた各壁受けブラケットＣ，Ｃに手すりＢを固定する。そして、階段や廊下その他の設置場所に合わせて隣り合う２本の手すりＢ，Ｂを接続具Ｄで順次接続することにより、図５に示すように、連続する手すりＢ’を壁面Ａに沿って配置することができる。
【０００３】
その後、内装施工業者が壁面Ａに壁紙を貼る作業を行うが、その際、手すり施工業者が取り付けた手すりＢ，Ｂを一旦取り外し（ただし、壁受けブラケットＣの座板ｃは壁面Ａに残したまま）、壁紙貼付後前記各座板ｃ，ｃに壁受けブラケットＣ，Ｃを再固定して手すりＢ，Ｂを再度組み付け、手すり施工業者が取り付けたときと同じ状態の連続する手すりＢ’にする。
【０００４】
壁面Ａに取り付けた手すりＢ，Ｂを全て取り去ってしまうと、壁紙を貼った後においてどこに手すりＢ，Ｂを取り付ければ良いのか分からなくなる。そこで、壁面Ａに壁紙を貼る作業を行う内装施工業者でも、特別な工具を用いることなく簡単に手すりＢ，Ｂを取り外すことができ、壁紙貼付後再度手すりＢ，Ｂを所定位置に簡単に組み付けできることが求められ、上述したように、壁受けブラケットＣ，Ｃの各座板ｃ，ｃは壁面Ａに残したままで、手すりＢ，Ｂ付きの壁受けブラケットＣ，Ｃを一旦取り外している。
【０００５】
このような手すりＢ，Ｂの着脱において、前記壁受けブラケットＣには、壁面Ａに取り付けた座板ｃに対して遠くなる方向、すなわち、手前側に取り外すことができるもの（図６、図７参照）と、壁面Ａと並行の上側に取り外すことができるもの（図８、図９参照）とがあり、これらの場合を含むあらゆる方向に壁受けブラケットＣを手すりＢごと取り外すことができれば、手すりＢ，Ｂの着脱を極めて容易に行うことができる。
【０００６】
ところが、図５においてＤ２で示すように、２つの壁面Ａ，Ａが９０度に交差する入り隅において、２本の手すりＢ，Ｂが接続具により接続されている場合を例に挙げると、壁受けブラケットＣ，Ｃを壁面Ａに対して遠くなる方向、すなわち、手前側に取り外そうとしても、もう１本の手すりＢが邪魔になって壁面Ａに対して遠くなる方向、すなわち、手前側に取り外すことができない。
このような様々な状況下においても、壁面Ａに対して壁受けブラケットＣ，Ｃを手すりＢごとあらゆる方向に取り外すことができれば、少なくとも手すりＢ，Ｂの着脱を極めて容易に行うことができる。
【０００７】
ところで、階段や廊下その他の場所の壁面Ａに取り付ける手すりＢ，Ｂ同士を接続して連続する手すりＢ’とするための接続具として、従来から様々なものが提案され、また、販売されている（例えば、特許文献１、２参照）。
【先行技術文献】
【特許文献】
【０００８】
【特許文献１】特許第４７０９６１０号公報
【０００９】
【特許文献２】登録実用新案第３１０６３６４号公報
【発明の概要】
【発明が解決しようとする課題】
【００１０】
しかしながら、壁受けブラケットＣ，Ｃならびに手すりＢを壁面Ａに対して遠くなる方向、すなわち、手前側にも、また、壁面Ａと並行の上側にも取り外すことができない場合や、たとえそれができたとしても、接続具の構造に起因して壁面Ａへの手すりＢ，Ｂの再取付作業が非常に厄介であったり、構造が極めて複雑であったり、部品点数が極めて多いという欠点を有している。
本発明は、上記のような様々な欠点を全て解消し得る接続具を提供することを目的とするものである。
【課題を解決するための手段】
【００１１】
上記目的を達成するため、本発明では、手すりの一端を嵌入・固定させ得る円筒部材を有し、この円筒部材と一体的な半球体を備えた第１の接続部材と、前記第１の接続部材の半球体に合わせ得る半球体を備えた第２の接続部材と、別の手すりの一端を嵌入・固定させ得る円筒部材を有し、この円筒部材と一体的な欠損円筒体を備えた第３の接続部材と、前記第３の接続部材の欠損部分に嵌め込まれて前記欠損円筒体とで円筒体を形成する保持部材とからなり、前記第２の接続部材の端部には、前記第３の接続部材の円筒部材の円周に沿う方向の溝を設け、前記第３の接続部材の欠損円筒体および前記保持部材に、前記溝に嵌入させ得る突条をそれぞれ設けて１つの手すり接続具としたものである。
【００１２】
この手すり接続具によれば、第１の接続部材の半球体と第２の接続部材の半球体とを合体させることにより、両接続部材間に１つの球体が形成される。そして、第２の接続部材の端部に形成されている溝に、第３の接続部材の欠損円筒体および保持部材に形成されている突条をそれぞれ嵌入するとともに、前記欠損円筒体と保持部材とを合体させて一体的な手すり接続具とし、さらに、前記球体を挟んでその両側にある第１の接続部材の円筒部材と第３の接続部材の円筒部材に手すりをそれぞれ嵌入・固定すると、本手すり接続具を介して２本の手すりを接続することができる。
【００１３】
この場合において、第１の接続部材と第３の接続部材および保持部材は、両者間に位置する１つの球体を中心として相対的に折曲可能である。したがって、本手すり接続具を介して隣り合う２本の手すりを自由な角度で接続することができ、階段や廊下その他の設置場所に合わせて隣り合う２本の手すりを接続して連続する手すりとすることができる。
【００１４】
本手すり接続具を用いて連続する手すりとした場合において、図３(a)に示すように、隣り合う２本の手すりが同一平面の壁面に取り付けられている場合において、２本の手すりの一方を取り外すには、まず、図３(b)に示すように、第３の接続部材から保持部材を取り除く。
そして、図３(f)の矢印で示すように、第３の接続部材を第２の接続部材の端部に形成されている溝に沿って回動させ、第３の接続部材を手すりごと壁面に対して遠くなる方向、すなわち、手前側に取り外すことができるようにした上で、図３(e)で示すように、第３の接続部材を手すりごと手前側に引けば、隣り合う２本の手すりの一方を取り外すことができる。
【００１５】
一方、第３の接続部材を手すりごと壁面に対して遠くなる方向、すなわち、手前側に取り外すことができない場合には、図３(f)の矢印で示すように、第３の接続部材を第２の接続部材の端部に形成されている溝に沿って１８０度回動させる。すると、第３の接続部材が図３(c)に示す位置に来る。
そこで、図３(d)の矢印で示すように、第３の接続部材を手すりごと壁面と並行に持ち上げれば、第３の接続部材を手すりごと取り外すことができる。
【００１６】
また、図５においてＤ２で示すように、２つの壁面が９０度に交差する入り隅において、図４(a)に示すように、隣り合う２本の手すりが接続されている場合において、２本の手すりの一方を取り外すには、まず、図４(b)に示すように、第３の接続部材から保持部材を取り除く。
そして、図４(f)の矢印で示すように、第３の接続部材を第２の接続部材の端部に形成されている溝に沿って回動させ、第３の接続部材を手すりごと壁面に対して遠くなる方向、すなわち、手前側に取り外すことができるようにした上で、図４(e)で示すように、第３の接続部材を手すりごと手前側に引けば、第３の接続部材を手すりごと取り外すことができる。
【００１７】
一方、第３の接続部材を手すりごと壁面に対して遠くなる方向、すなわち、手前側に取り外すことができない場合には、図４(f)の矢印で示すように、第３の接続部材を第２の接続部材の端部に形成されている溝に沿って１８０度回動させる。すると、第３の接続部材が図４(c)に示す位置に来る。
そこで、図４(d)の矢印で示すように、第３の接続部材を手すりごと壁面と並行に持ち上げれば、第３の接続部材を手すりごと取り外すことができる。
【００１８】
第３の接続部材の欠損円筒体と保持部材とを、結合部材で結合してある。このようにすることで、合体した第３の接続部材の欠損円筒体と保持部材とが強固に結合されるとともに、合体した欠損円筒体と保持部材とで１つの円筒体が形成され、１つの球体を挟んでその両側に２つの円筒部材（第１の接続部材の円筒部材と第３の接続部材の円筒部材）を有するものとなる。したがって、両円筒部材に手すりをそれぞれ嵌入することにより、２本の手すりを体裁良く接続することができる。
【００１９】
第１の接続部材の半球体と第２の接続部材の半球体とを、結合部材で結合してある。このようにすることで、合体した２つの半球体が強固に結合されるとともに、合体した２つの半球体で１つの球体が形成される。したがって、この球体の両側の円筒部材に手すりをそれぞれ嵌入することにより、この球体を挟んで２本の手すりを体裁良く接続することができる。
【発明の効果】
【００２０】
請求項１記載の接続具を用いた場合には、手すりを壁面に対して遠くなる方向、すなわち、手前側にも、また、壁面と並行の上側にも取り外すことができる。したがって、階段や廊下その他の場所の壁面に取り付けた手すり（手すり棒）の取り外しに極めて有利である。
【００２１】
また、請求項１記載の接続具は、構造が極めて簡単であるだけでなく、コストも極めて安いという利点がある。
【００２２】
請求項２記載の接続具を用いた場合には、２つの円筒体に手すりをそれぞれ嵌入することにより、２本の手すりを体裁良く接続することができる。
【００２３】
請求項３記載の接続具を用いた場合には、合体した２つの半球体で形成された球体の両側の円筒体に手すりをそれぞれ嵌入することにより、この球体を挟んで２本の手すりを体裁良く接続することができる。
【図面の簡単な説明】
【００２４】
【図１】本発明による手すり接続具の一例を示す分解斜視図である。
【図２】本発明による手すり接続具により２本の手すりを接続した状態を示す断面図である。
【図３】本発明による手すり接続具により２本の手すりが９０度以上の角度で接続されている場合において、そのうちの一方の手すりの取り外し方を工程順に示す図で、ほとんどを平面視と側面視の両方で、一部については斜視図のみで、さらに、一部については平面視と側面視と斜視図で表わす。
【図４】本発明による手すり接続具により２本の手すりが９０度の角度で接続されている場合において、そのうちの一方の手すりの取り外し方を工程順に示す図で、ほとんどを平面視と側面視の両方で、一部については斜視図のみで、さらに、一部については平面視と側面視と斜視図で表わす。
【図５】本発明による手すり接続具を用いて階段の壁面に手すりを連続して配置した場合の一例を示す概略図で、(a)は斜視図、(b)は正面図、(c)は平面図、(d)は側面図である。
【図６】壁面に対して遠くなる方向、すなわち、手前側に取り外すことができる壁受けブラケットの分解斜視図である。
【図７】壁面に座板を残した状態で、図６に示す壁受けブラケットを壁面から取り外す状況を示す斜視図である。
【図８】壁面と並行の上側に取り外すことができる壁受けブラケットの分解斜視図である。
【図９】壁面に座板を残した状態で、図８に示す壁受けブラケットを壁面から取り外す状況を示す斜視図である。
【発明を実施するための形態】
【００２５】
本発明による手すり接続具の一例を、図面に基いて詳細に説明する。
ここに例示する手すり接続具Ｄは、図１および図２に示すように、４つの部材からなっている。すなわち、手すりＢの一端を嵌入・固定させ得る円筒部材１ａを有し、この円筒部材１ａと一体的な半球体１ｂを備えた第１の接続部材１と、前記第１の接続部材１の半球体１ｂに合わせ得る半球体２ｂを備えた第２の接続部材２と、別の手すりＢの一端を嵌入・固定させ得る円筒部材３ａを有し、この円筒部材３ａと一体的な欠損円筒体３ｂを備えた第３の接続部材３と、前記第３の接続部材３の欠損部分に嵌め込まれて前記欠損円筒体３ｂとで円筒体を形成する略半円筒状の保持部材４とからなっている。
【００２６】
そして、前記第２の接続部材２の端部、すなわち、前記第１の接続部材１の半球体１ｂに第２の接続部材２の半球体２ｂを合わせた場合における第１の接続部材１の円筒部材１ａと反対側の端部には、前記第３の接続部材３の円筒部材３ａの円周に沿う方向の溝２ｃを設け、前記第３の接続部材３の欠損円筒体３ｂ先端の円周方向および前記略半円筒状の保持部材４先端の円周方向に、前記溝２ｃに嵌入させ得る突条３ｃ，４ｃをそれぞれ設けてある。
【００２７】
第３の接続部材３の欠損円筒体３ｂと略半円筒状の保持部材４とを、ねじその他の結合部材５で結合してある。このようにすることで、合体した第３の接続部材３の欠損円筒体３ｂと保持部材４とが強固に結合されるとともに、合体した欠損円筒体３ｂと保持部材４とで１つの円筒体が形成され、１つの球体を挟んでその両側に２つの円筒部材（第１の接続部材１の円筒部材１ａと第３の接続部材３の円筒部材３ａ）を有するものとなる。したがって、両円筒部材１ａ，３ａに手すりＢ，Ｂをそれぞれ嵌入することにより、２本の手すりＢ，Ｂを体裁良く接続することができる。
【００２８】
なお、第３の接続部材３の欠損円筒体３ｂと略半円筒状の保持部材４とを、ねじその他の結合部材５で結合するに当って、ここでは、前記欠損円筒体３ｂに孔を形成するとともに、略半円筒状の保持部材４の内面からボス４ａを下向きに突出形成し、欠損円筒体３ｂに形成した孔を経て前記ボス４ａの凹窩４ｂに結合部材５をねじ込んで両者を一体的としている。
【００２９】
また、保持部材４の半円弧部分の両端には係合段部４ｄを形成し、前記欠損円筒体３ｂと略半円筒状の保持部材４とが合体したとき、前記両係合段部４ｄ，４ｄが欠損円筒体３ｂの半円弧部分の両端と係合して両者の合体が強固となるようにしてある。
【００３０】
さらに、第１の接続部材１の半球体１ｂと第２の接続部材２の半球体２ｂとを、ねじその他の結合部材６で結合してある。このようにすることで、合体した２つの半球体１ｂ，２ｂが強固に結合されるとともに、合体した２つの半球体１ｂ，２ｂで１つの球体が形成される。したがって、この球体の両側の円筒部材１ａ，３ａに手すりＢ，Ｂをそれぞれ嵌入することにより、この球体を挟んで２本の手すりＢ，Ｂを体裁良く接続することができる。
【００３１】
前記２つの半球体１ｂ，２ｂをねじその他の結合部材６で結合するに当って、ここでは、半球体１ｂに孔１ｃを形成するとともに、半球体２ｂの内面からボス２ｄ（図２参照）を下向きに突出形成し、前記孔１ｃを経て前記ボス２ｄの凹窩２ｅに結合部材６をねじ込んで２つの半球体１ｂ，２ｂを一体的としている。その際、前記孔１ｃと結合部材６の頭との間に、波形の座金７を介装しておくと、結合部材６により２つの半球体１ｂと２ｂとを締め付けたとき座金７によって半球体１ｂが半球体２ｂに押し付けられるので、半球体１ｂと半球体２ｂのガタ付きが防止されるとともに、両者の結合状態がより強固になる。
【００３２】
両円筒部材１ａ，３ａにそれぞれ嵌入した手すりＢ，Ｂは、図２に示すように、ねじその他の固定部材８により、各円筒部材１ａ，３ａにそれぞれ固定されている。なお、手すりＢは本来所定の長さを有するものであるが、図面においては、便宜上、本手すり接続具Ｄや壁受けブラケットＣ付近の一部のみを短く表わしている。
【００３３】
このように、第１の接続部材１の半球体１ｂと第２の接続部材２の半球体２ｂとを合体させることにより、両接続部材１，２間に１つの球体が形成される。そして、第２の接続部材２の端部に形成されている溝２ｃに、第３の接続部材３の欠損円筒体３ｂおよび略半円筒状の保持部材４に形成されている突条３ｃ，４ｃをそれぞれ嵌入するとともに、前記欠損円筒体３ｂと略半円筒状の保持部材４とを合体させて一体的な手すり接続具Ｄとすることができる。さらに、前記球体を挟んでその両側にある第１の接続部材１の円筒部材１ａと第３の接続部材３の円筒部材３ａに手すりＢ，Ｂをそれぞれ嵌入・固定すると、本手すり接続具Ｄを介して２本の手すりＢ，Ｂを接続して連続する手すりＢ’とすることができる。
【００３４】
この場合において、合体された前記第３の接続部材３、保持部材４と第１の接続部材１とは、両者間に位置する１つの球体を中心として相対的に折曲可能である。したがって、本手すり接続具Ｄを介して隣り合う２本の手すりＢ，Ｂを自由な角度で接続することができ、階段や廊下その他の設置場所に合わせて隣り合う２本の手すりＢ，Ｂを接続して連続する手すりＢ’とすることができる。
【００３５】
例えば、本手すり接続具Ｄを用いれば、図５(a)〜(d)において符号Ｄ１で示すように、階段の設置場所に合わせて隣り合う２本の手すりＢ，Ｂを同一平面の壁面Ａに沿って接続し、あるいは、同図符号Ｄ２で示すように、２つの壁面Ａ，Ａが９０度に交差する入り隅において、隣り合う２本の手すりＢ，Ｂを接続することができ、連続する手すりＢ’とすることができる。
【００３６】
図５においては、(a)のみに全ての符号を付し、正面図である(b)、平面図である(c)、側面図である(d)においては、本手すり接続具Ｄが隣り合う２本の手すりＢ，Ｂを同一平面の壁面Ａに沿って接続している場合Ｄ１と、隣り合う２本の手すりＢ，Ｂを２つの壁面Ａ，Ａが９０度に交差する入り隅において接続している場合Ｄ２のみの符号を付してある。
なお、この項における符号、Ａ（壁面）、Ｂ（手すり）、Ｂ’（連続する手すり）、Ｃ（壁面Ａに取り付けられる壁受けブラケット）、ならびにｃ（座板）については、背景技術の項で用いた符号と同じ符号を用いた。
【００３７】
次に、本手すり接続具Ｄを用いて連続する手すりＢ’とした場合において、本手すり接続具Ｄにより接続されている２本の手すりＢ，Ｂの一方の手すりＢの取り外し方を、図３および図４に基づいて説明する。
なお、図３(a)〜図３(c)および図４(a)〜(c)においては、平面視と側面視の両方で表わし、図３(e)、図３(f)および図４(e)、図４(f)については、斜視図のみで表わし、図３(d)および図４(d)については、平面視と側面視と斜視図とで表わす。
【００３８】
本手すり接続具Ｄを用いて連続する手すりＢ’とした場合において、図３(a)および図５のＤ１に示すように、隣り合う２本の手すりＢ，Ｂが同一平面の壁面Ａに取り付けられている場合において、２本の手すりＢ、Ｂの一方を取り外すには、まず、図３(b)に示すように、第３の接続部材３と保持部材４とを結合している結合部材５を外して接続部材３から保持部材４を取り外すとともに、接続部材３に手すりＢを固定している固定部材８を外す。
そして、図３(f)の矢印で示すように、第３の接続部材３を第２の接続部材２の端部に形成されている溝２ｃに沿って回動させ、第３の接続部材３を手すりＢごと壁面Ａに対して遠くなる方向、すなわち、手前側に取り外すことができるようにした上で、複数本の（ここでは、３本の）ねじｃ’，ｃ’で壁面Ａに取り付けられている座板ｃから複数本の（ここでは、２本の）ねじｃ”，ｃ”を外して取り外すべき手すりＢの壁受けブラケットＣ，Ｃを壁面Ａから取り外しておき、しかる後、図３(e)で示すように、第３の接続部材３を壁受けブラケットＣ，Ｃ付きの手すりＢごと手前側に引けば、第３の接続部材３を手すりＢごと取り外すことができる。
【００３９】
一方、第３の接続部材３を手すりＢごと壁面Ａに対して遠くなる方向、すなわち、手前側に取り外すことができない場合には、複数本の（ここでは、３本の）ねじｃ’，ｃ’で壁面Ａに取り付けられている座板ｃから複数本の（ここでは、２本の）ねじｃ”，ｃ”を外して取り外すべき手すりＢの壁受けブラケットＣ，Ｃを壁面Ａから取り外しておき、しかる後、図３(f)の矢印で示すように、第３の接続部材３を第２の接続部材２の端部に形成されている溝２ｃに沿って１８０度回動させる。すると、第３の接続部材３が図３(c)の下側に表わした図の位置に来る。
そこで、図３(d)の矢印で示すように、第３の接続部材３を壁受けブラケットＣ，Ｃ付きの手すりＢごと壁面Ａと並行に持ち上げれば、第３の接続部材３を手すりＢごと取り外すことができる。
【００４０】
また、図４(a)および図５のＤ２に示すように、２つの壁面Ａ，Ａが９０度に交差する入り隅において隣り合う２本の手すりＢ，Ｂが接続されている場合において、２本の手すりＢ，Ｂの一方を取り外すには、まず、図４(b)に示すように、第３の接続部材３と保持部材４とを結合している結合部材５を外して接続部材３から保持部材４を取り外すとともに、接続部材３に手すり３を固定している固定部材８を外す（この操作は上で説明した場合と同様である）。
そして、第３の接続部材３を手すりＢごと壁面Ａに対して遠くなる方向、すなわち、手前側に取り外すことができるのであれば、複数本の（ここでは、３本の）ねじｃ’，ｃ’で壁面Ａに取り付けられている座板ｃから複数本の（ここでは、２本の）ねじｃ”，ｃ”を外して取り外すべき手すりＢの壁受けブラケットＣ，Ｃを壁面Ａから取り外しておき、しかる後、図４(f)の矢印で示すように、第３の接続部材３を第２の接続部材２の端部に形成されている溝２ｃに沿って回動させ、第３の接続部材３を手すりＢごと壁面Ａに対して遠くなる方向、すなわち、手前側に取り外すことができるようにした上で、図４(e)で示すように、第３の接続部材３を壁受けブラケットＣ，Ｃ付きの手すりＢごと手前側に引けば、第３の接続部材３を手すりＢごと取り外すことができる。
【００４１】
一方、第３の接続部材３を手すりＢごと壁面Ａに対して遠くなる方向、すなわち、手前側に取り外すことができない場合には、複数本の（ここでは、３本の）ねじｃ’，ｃ’で壁面Ａに取り付けられている座板ｃから複数本の（ここでは、２本の）ねじｃ”，ｃ”を外して取り外すべき手すりＢの壁受けブラケットＣ，Ｃを壁面Ａから取り外しておき、しかる後、図４(f)の矢印で示すように、第３の接続部材３を第２の接続部材２の端部に形成されている溝２ｃに沿って１８０度回動させる（この操作も上で説明した場合と同様である）。すると、第３の接続部材が図４(c)の下側に表わした図面の位置に来る。
そこで、図４(d)の矢印で示すように、第３の接続部材３を壁受けブラケットＣ，Ｃ付きの手すりＢごと壁面Ａと並行に持ち上げれば、第３の接続部材３を手すりＢごと取り外すことができる。
【００４２】
このように、本手すり接続具Ｄを用いれば、隣り合う２本の手すりＢ，Ｂを同一平面の壁面Ａにおいて接続することができるのみならず、隣り合う２本の手すりＢ，Ｂを２つの壁面Ａ，Ａが９０度に交差する入り隅において接続することができる。
そして、隣り合う２本の手すりＢ，Ｂが同一平面の壁面Ａにおいて接続されている場合においても、また、隣り合う２本の手すりＢ，Ｂが２つの壁面Ａ，Ａが９０度に交差する入り隅において接続されている場合においても、壁受けブラケットＣ，Ｃならびに手すりＢを壁面Ａに対して遠くなる方向、すなわち、手前側にも、また、壁面Ａと並行の上側にも、そしてこれらの方向を含むあらゆる方向に取り外すことができる。
【００４３】
本手すり接続具Ｄにより接続されている２本の手すりＢ，Ｂのうちの一方を取り外すと、もう一方の手すりＢは壁面Ａから自由に取り外すことができるので、手すりＢが全くない状態で壁面Ａへの壁紙貼付作業を行うことができる。
この場合において、壁面Ａの所定位置には座板ｃ，ｃを取り付けたままにしてあるので、壁紙貼付後各座板ｃ，ｃに再度手すりＢ付きの壁受けブラケットＣ，Ｃを取り付ければ、手すりＢ，Ｂを壁面Ａの所定位置に簡単に組み付けできる。
【００４４】
なお、図６〜図９において、符号ｄは壁受けブラケットＣに手すりＢを固定するためのねじである。
【符号の説明】
【００４５】
１…第１の接続部材、１ａ…円筒部材、１ｂ…半球体、２…第２の接続部材、２ｂ…半球体、２ｃ…溝、３…第３の接続部材、３ａ…円筒部材、３ｂ…欠損円筒体、４…保持部材、４ｃ…突条、Ａ…壁面、Ｂ…手すり（手すり棒）、Ｂ’…連続する手すり、Ｃ…壁受けブラケット、ｃ…座板、Ｄ…手すり接続具。
【図１】
0005809528.tif 000002
【図２】
0005809528.tif 000003
【図３】
0005809528.tif 000004
【図４】
0005809528.tif 000005
【図５】
0005809528.tif 000006
【図６】
0005809528.tif 000007
【図７】
0005809528.tif 000008
【図８】
0005809528.tif 000009
【図９】
0005809528.tif 000010